(57)【要約】      （修正有）【課題】一斗缶の上蓋を切り開くことなく、内部の液体塗料を吸引できるサクションフィルターを提供する。【解決手段】一斗缶５の上蓋５１に設けられた栓口５２に装着可能なサクションフィルター１は、栓口５２の口径よりも小径で栓口５２から一斗缶５の内部に挿入可能な管部１０と、管部１０の先端に対して着脱可能な筒状のフィルター部２０と、管部１０の先端に対して液密状に装着され、フィルター部２０の周囲に一定の空隙を設けた状態でフィルター部２０を包囲し、且つ、先端３２に一斗缶５の底面に接触した状態で液体塗料を吸い込む吸込部が形成された筒状吸込部３０と、管部１０に装着され、栓口５２の周縁部に着脱可能な仮栓部４０と、を備える。【選択図】図４
0003227196.tif 000002
【実用新案登録請求の範囲】
【請求項１】
一斗缶の上蓋に設けられた栓口に装着可能なサクションフィルターであって、
前記栓口の口径よりも小径で前記栓口から前記一斗缶の内部に挿入可能な管部と、
前記管部の先端に対して着脱可能な筒状のフィルター部と、
前記管部の先端に対して液密状に装着され、前記フィルター部の周囲に一定の空隙を設けた状態で前記フィルター部を包囲し、且つ、先端に前記一斗缶の底面に接触した状態で液体塗料を吸い込む吸込部が形成された筒状吸込部と、
前記管部に装着され、前記栓口の周縁部に着脱可能な仮栓部と、
を備えることを特徴とするサクションフィルター。
【考案の詳細な説明】
【技術分野】
【０００１】
本考案は、ポンプの吸入口側に取り付けるサクションフィルターであって、特に液体塗料が収容された一斗缶に好適に装着可能なサクションフィルターに関する。
【背景技術】
【０００２】
一斗缶に収容されている液体塗料を使用して塗装を行う際には、液体塗料を十分に撹拌してからポンプによって塗料を吸引し、スプレーノズルなどの塗装器具に供給するのが一般的である。例えば、特許文献１には、一斗缶の上蓋を切り開いて上面全体を開放できるようにする切開用具が記載されている。また、特許文献２には、一斗缶の上面全体を切り開いた状態で一斗缶内部の液体を撹拌する撹拌装置が記載されている。塗装業界では、特許文献１，２に記載されているように、一斗缶の上蓋を切り開いた状態で液体塗料の撹拌及び吸引が行われている。
【先行技術文献】
【特許文献】
【０００３】
【特許文献１】特開２０１６−２２２２８２号公報
【特許文献２】特開２０１２−２５０１９６号公報
【考案の概要】
【考案が解決しようとする課題】
【０００４】
しかしながら、従来のように一斗缶の上蓋を切り開いて液体塗料の撹拌及び吸引を行うようにすると、上蓋を切り開く手間が生じ、作業効率が低下する。また、一斗缶の周囲に液体塗料が飛散し、周囲を汚す要因にもなる。また、上蓋を大きく開放すると、液体塗料が乾燥しやすくなり塗料を変質させてしまうという問題や、内壁にこびり付いた乾燥塗料によるゴミが発生しやすくなるという問題がある。また、上蓋を開放することにより、外部からゴミが一斗缶の内部に侵入しやすくなるという問題もある。更には、塗装作業が終了した時点で一斗缶の内部に液体塗料が残っている場合、一斗缶の上蓋を開放してしまっていると、その残った液体塗料の取り扱いに面倒な作業が発生する。
【０００５】
そこで本考案は、上記問題点を解決するためになされたものであり、一斗缶の上蓋を切り開くことなく、内部の液体塗料を吸引できるようにしたサクションフィルターを提供することを目的とする。
【課題を解決するための手段】
【０００６】
上記目的を達成するため、本考案は、一斗缶(5)の上蓋(51)に設けられた栓口(52)に装着可能なサクションフィルター(1)であって、前記栓口(52)の口径よりも小径で前記栓口(52)から前記一斗缶(5)の内部に挿入可能な管部(10)と、前記管部(10)の先端(11)に対して着脱可能な筒状のフィルター部(20)と、前記管部(10)の先端(11)に対して液密状に装着され、前記フィルター部(20)の周囲に一定の空隙を設けた状態で前記フィルター部(20)を包囲し、且つ、先端に前記一斗缶(5)の底面に接触した状態で液体塗料を吸い込む吸込部(33)が形成された筒状吸込部(30)と、前記管部(10)に装着され、前記栓口(52)の周縁部に着脱可能な仮栓部(40)と、を備えることを特徴とする構成である。
【考案の効果】
【０００７】
本考案のサクションフィルターによれば、一斗缶の上蓋を切り開くことなく、一斗缶の上蓋に予め設けられている栓口を利用して内部の液体塗料を吸引することが可能であるため、従来よりも作業効率を向上させることができる。
【図面の簡単な説明】
【０００８】
【図１】サクションフィルターの構成例を示す斜視図である。
【図２】筒状吸込部を管部の先端に装着した状態のサクションフィルターを示す斜視図である。
【図３】仮栓部を下方から観た斜視図である。
【図４】サクションフィルターを一斗缶に装着する例を示す図である。
【図５】サクションフィルターを一斗缶に装着した使用状態を示す斜視図である。
【考案を実施するための形態】
【０００９】
以下、本考案の好ましい実施形態について図面を参照しつつ詳細に説明する。尚、以下において参照する各図面では互いに共通する部材に同一符号を付しており、それらについての重複する説明は省略する。
【００１０】
図１及び図２は、本考案の一実施形態であるサクションフィルター１を示す斜視図である。このサクションフィルター１は、一斗缶の上蓋を大きく切り開くことなく、上蓋に設けられた栓口から一斗缶内部に挿入して液体塗料を吸引できるようにしたものである。図１及び図２に示すように、サクションフィルター１は、所定長さの直管として形成される管部１０と、管部１０の先端１１に装着されるフィルター部２０と、フィルター部２０の外側を包囲するように管部１０の先端１１に装着される筒状吸込部３０と、管部１０に装着される仮栓部４０と、を備える構成である。
【００１１】
管部１０は、例えば一斗缶の高さ寸法と同程度の長さを有している。管部１０の上端部には、Ｌ字管９が接続される。このＬ字管９の先端９ａには、例えばフッ素樹脂によって形成され、柔軟性のある透明ホースが接続される。その透明ホースの更に先端には、ポンプが接続され、ポンプによって吸引される液体塗料がスプレーノズルなどの塗装器具に供給される。また、管部１０の下部の先端１１には、フィルター部２０と筒状吸込部３０とを装着するための装着部１２が形成される。例えば、装着部１２の内側には、フィルター部２０を装着するための雌螺子が形成され、その雌螺子に対してフィルター部２０を螺合装着することが可能である。また、装着部１２の外周面にはＯリング１３が装着され、筒状吸込部３０を液密状に装着することができる。
【００１２】
フィルター部２０は、管部１０の先端１１に設けられた装着部１２に着脱可能であり、筒状のフィルターを備えている。フィルター部２０は、その筒状のフィルターによって液体塗料に含まれるゴミや塵埃などを除去して下流側のポンプに供給することができる。フィルター部２０には、フィルターの目の粗さが異なる様々な種類が予め用意されている。そのため、使用する液体塗料の種類や、除去すべきゴミや塵埃のサイズなどに応じて、管部１０の先端１１に装着するフィルター部２０の目の粗さを適宜変更することができる。例えば、フィルター部２０は、管部１０よりも細径に形成される。
【００１３】
筒状吸込部３０は、フィルター部２０よりも長尺であり、その上端部３１が管部１０の先端１１に設けられている装着部１２の外周面に装着される。図２は、筒状吸込部３０が装着部１２に装着された使用状態を示している。筒状吸込部３０の内径は、フィルター部２０の外径よりも大きく、且つ、装着部１２の外径と同径若しくはそれよりも若干大きく形成される。そのため、筒状吸込部３０の上端部３１が装着部１２に嵌め込んで装着されると、Ｏリング１３が筒状吸込部３０の内周面に接触し、筒状吸込部３０の上端部３１を液密状に装着することができる。また、筒状吸込部３０が装着部１２に装着されると、筒状吸込部３０の内周面とフィルター部２０の外周面との間に一定の空隙を形成した状態で筒状吸込部３０がフィルター部２０を包囲する。そのため、筒状吸込部３０は、フィルター部２０の外周面との間の空隙を介して液体塗料を筒状のフィルターに供給することができる。
【００１４】
例えば、管部１０は装着部１２の近傍位置にナット１４を有している。筒状吸込部３０は、その上端部３１がナット１４の下面に当接するように装着される。すなわち、筒状吸込部３０を装着部１２に装着するときには、筒状吸込部３０の上端部３１をナット１４の下面側に当接させることで適切な装着状態とすることができる。そのため、ナット１４は、筒状吸込部３０を装着部１２に装着する際のストッパーとして機能する。ただし、ストッパーとして機能するナット１４は、サクションフィルター１に必須のものではない。
【００１５】
また、筒状吸込部３０の下部の先端３２には、一斗缶の底面に接触した状態で液体塗料を吸い込むための吸込部３３が形成される。例えば、吸込部３３は、筒状吸込部３０の先端３２を筒状吸込部３０の軸方向に沿ってＵ字状に切り欠いた切欠部として形成され、筒状吸込部３０の先端３２において周方向の複数箇所に形成されている。ただし、吸込部３３は、切欠部として形成されるものに限られず、例えば複数の孔やスリットなどによって形成されるものであっても構わない。
【００１６】
仮栓部４０は、管部１０に遊嵌されており、管部１０の長手方向（Ｚ方向）に沿って移動可能である。図３は、仮栓部４０を下方から観た斜視図である。仮栓部４０は、下部にフランジ部４１を有している。フランジ部４１は、中央に管部１０を挿通する孔４２を有し、その孔４２の周囲に磁石４３を取り付けている。この磁石４３により、仮栓部４０は、仮栓部４０を一斗缶の栓口の周縁部に接着し、栓口を塞ぐことが可能であり、栓口からゴミなどが入り込むことを防止することができる。また、仮栓部４０は、磁石４３の磁力によって栓口を塞ぐため、栓口からの取り外しも簡単に行うことができる。
【００１７】
図４は、サクションフィルター１を一斗缶５に装着する例を示す図である。上記のようなサクションフィルター１は、管部１０、ナット１４及び筒状吸込部３０のそれぞれが一斗缶５の上蓋５１に設けられている栓口５２の開口径よりも小径に形成される。そのため、一斗缶５の上蓋５１に設けられている栓５３を取り外して栓口５２を開放することにより、サクションフィルター１は、図４において矢印Ｆで示すように筒状吸込部３０の先端３２から一斗缶５の内側に挿入することができる。
【００１８】
図５は、サクションフィルター１を一斗缶５に装着した状態を示す斜視図である。図５に示すようにサクションフィルター１の管部１０を栓口５２から一斗缶５の内側に挿入すると、筒状吸込部３０の先端３２が一斗缶５の底面に接触した状態となる。また、仮栓部４０は、磁石４３によって栓口５２の周縁部に接着した状態となる。そのため、管部１０の下流側に設けられているポンプを作動して一斗缶５の内部に収容されている液体塗料の吸引動作を開始すると、液体塗料が筒状吸込部３０の先端３２の吸込部３３から筒状吸込部３０の内側に侵入し、フィルター部２０でゴミや塵埃などが除去される。そしてゴミや塵埃などが除去された液体塗料が管部１０の内部を通り、下流側のポンプへと供給される。このとき、仮栓部４０と管部１０との間には僅かな隙間があるため、ポンプによる吸引動作に伴って外気を一斗缶５の内部へ供給することが可能であり、一斗缶５が変形してしまうことを抑制することができる。
【００１９】
また、筒状吸込部３０は、吸込部３３が形成されている先端３２を一斗缶５の底面に接触させているため、一斗缶５に収容されている液体塗料を最後まで余すことなく吸い出すことができる。
【００２０】
上記のようなサクションフィルター１は、一斗缶５に予め設けられている栓口５２から差し込んで液体塗料を吸引することができる。そのため、従来のように一斗缶５の上蓋５１を切り開いて大きく開放する必要がない。それ故、従来のように上蓋５１を切り開くための手間がなくなり、作業効率が向上する。また、一斗缶５の周囲に液体塗料が飛散することを防止できるので、周囲を汚すこともない。また、サクションフィルター１の使用中は、仮栓部４０が栓口５２を閉鎖するので、液体塗料の乾燥を抑制することができると共に、外部からのゴミの侵入も抑制することができる。更に、塗装作業が終了した場合には、一斗缶５からサクションフィルター１を引き抜き、栓口５２に対して再び栓５３を装着しておくことにより、そのままの状態で保管しておくことができるようになる。
したがって、上述したサクションフィルター１は、従来よりも作業効率を著しく改善させることができるのである。
【００２１】
尚、上述したサクションフィルター１は、一斗缶５の内部の液体塗料を撹拌させる機能は有していない。そのため、上述したサクションフィルター１を使用して塗装作業などを行う際には、一斗缶５を揺動させることにより、内部の液体塗料を撹拌させることが好ましい。
【００２２】
以上、本考案に関する好ましい実施形態を説明したが、本考案は、上記実施形態において説明したものに限定されるものではなく、種々の変形例を適用したものが含まれる。
【００２３】
例えば、上記実施形態では、仮栓部４０が管部１０の長手方向に沿って移動可能である場合を例示した。しかし、これに限られるものではなく、仮栓部４０は、管部１０の所定位置に固定されているものであっても構わない。
【符号の説明】
【００２４】
１…サクションフィルター、５…一斗缶、１０…管部、１１…管部の先端、２０…フィルター部、３０…筒状吸込部、３３…吸込部、４０…仮栓部、５２…栓口。
【図１】
0003227196.tif 000003
【図２】
0003227196.tif 000004
【図３】
0003227196.tif 000005
【図４】
0003227196.tif 000006
【図５】
0003227196.tif 000007